(57)【要約】【課題】設置位置に基づく通信装置の管理を適切に行うサーバ、及び、サーバにおけるＩＰアドレスの割り当て方法を提供する。【解決手段】ＥＭＳサーバ１０は、基地局２０毎に、基地局２０のＭＡＣアドレスと、基地局２０に割り当てられたＩＰアドレスと、基地局２０がＵＥ３０との無線通信において使用可能な周波数帯域の情報と、基地局２０の設置位置を示す位置情報とからなるエントリ情報を記憶しておく。ＥＭＳサーバ１０は、ＭＡＣアドレスを含んだＩＰアドレス割り当て要求を基地局２０から受信した場合、当該基地局２０に対して、位置情報の要求と周波数帯域情報の要求とを送信する。ＥＭＳサーバ１０は、基地局２０からの位置情報及び周波数帯域情報を受信した場合に、エントリ情報と、受信したＭＡＣアドレス、位置情報及び周波数帯域情報に基づいて、基地局２０にＩＰアドレスを割り当てる。【選択図】図２
2012191263.tif 000002
【特許請求の範囲】
【請求項１】
通信装置に対してＩＰアドレスを割り当てるサーバであって、
前記通信装置に割り当てられたＩＰアドレスと、前記通信装置の設置位置に関する位置情報とを対応付けて記憶する記憶部と、
前記通信装置からのＩＰアドレスの割り当て要求を受信した場合に、前記通信装置の位置情報と、前記記憶部に記憶された位置情報とに基づいて、前記通信装置にＩＰアドレスを割り当てる制御部と
を備えるサーバ。
【請求項２】
前記制御部は、前記通信装置からの位置情報と、前記記憶部に記憶された位置情報とが同一又は近似する場合に、前記記憶部に記憶された位置情報に対応付けられた前記ＩＰアドレスを前記通信装置に割り当てる請求項１に記載のサーバ。
【請求項３】
前記通信装置に対して、前記位置情報の要求を送信する送信部と、
前記通信装置からの前記位置情報を受信する受信部と、
を備え、
前記記憶部は、前記通信装置が他の通信装置との無線通信において使用可能な周波数帯域の情報を前記位置情報と前記ＩＰアドレスとに更に対応付けて記憶し、
前記送信部は、前記通信装置が他の通信装置との無線通信において使用可能な周波数帯域の情報の要求を送信し、
前記受信部は、前記通信装置からの前記周波数帯域の情報を受信し、
前記制御部は、前記通信装置からの位置情報及び周波数帯域の情報と、前記記憶部に記憶された位置情報及び周波数帯域の情報とに基づいて、前記通信装置にＩＰアドレスを割り当てる請求項１に記載のサーバ。
【請求項４】
前記制御部は、前記通信装置からの位置情報と、前記記憶部に記憶された位置情報とが近似し、且つ、前記通信装置からの周波数帯域の情報と、前記記憶部に記憶された周波数帯域の情報であって、前記通信装置からの位置情報と同一又は近似する位置情報に対応付けられた周波数帯域の情報とが一致する場合に、前記記憶部に記憶された位置情報及び周波数帯域の情報に対応付けられた前記ＩＰアドレスを前記通信装置に割り当てる請求項１に記載のサーバ。
【請求項５】
前記記憶部は、前記通信装置のＭＡＣアドレスを前記位置情報と前記ＩＰアドレスとに更に対応付けて記憶し、
前記送信部は、前記通信装置から受信したＩＰアドレスの割り当て要求に、前記記憶部に記憶されていないＭＡＣアドレスが含まれる場合に、前記通信装置に対して、前記位置情報の要求を送信する請求項３に記載のサーバ。
【請求項６】
通信装置に対してＩＰアドレスを割り当てるサーバにおけるＩＰアドレスの割り当て方法であって、
前記サーバが、前記通信装置に割り当てられたＩＰアドレスと、前記通信装置の設置位置に関する位置情報とを対応付けて記憶するステップと、
前記サーバが、前記通信装置からのＩＰアドレスの割り当て要求を受信した場合に、前記通信装置に対して、前記位置情報の要求を送信するステップと、
前記サーバが、前記通信装置からの前記位置情報を受信するステップと、
前記サーバが、前記通信装置からの位置情報と、前記記憶部に記憶された位置情報とに基づいて、前記通信装置にＩＰアドレスを割り当てるステップと
を含むＩＰアドレスの割り当て方法。
【発明の詳細な説明】
【技術分野】
【０００１】
本発明は、通信装置に対してＩＰアドレスを割り当てるサーバ、及び、当該サーバにおけるＩＰアドレスの割り当て方法に関する。
【背景技術】
【０００２】
ＩＰ（Internet Protocol）通信において、ＥＭＳ（Element Management System）サーバと称される機器管理サーバは、ＩＰ通信機能を有する無線基地局を管理する。ＥＭＳサーバは、一般にＤＨＣＰ（Dynamic Host Configuration Protocol）サーバ機能を有し、ＩＰ（Internet Protocol）通信機能を有する無線基地局をネットワークに接続すると同時に、当該無線基地局に対して、ＩＰアドレスを自動的に割り当てする。ＥＭＳサーバは、同一の無線基地局に対して、毎回、同一のＩＰアドレスを割り当てるように、無線基地局のＭＡＣ（Media Access Control）アドレスとＩＰアドレスとを対応付けたテーブルをデータベースに保持し、ＩＰアドレスをベースに無線基地局を認識できるようにしている（例えば、非特許文献１参照）。
【先行技術文献】
【非特許文献】
【０００３】
【非特許文献１】“ＲＦＣ２１３１”［平成２２年１２月２２日検索］、インターネット〈URL：www.ietf.org/rfc/rfc2131.txt>
【発明の概要】
【発明が解決しようとする課題】
【０００４】
無線基地局の故障等によって、当該無線基地局の機器の交換が行われる場合、ＭＡＣアドレスは変更される。この場合、ＥＭＳサーバが、データベース内のテーブルに基づいてＩＰアドレスを割り当てると、機器の交換前とは異なるＩＰアドレスを割り当ててしまう。このため、ＥＭＳサーバは、ＩＰアドレスをベースに無線基地局を認識する際に、機器の交換前とは異なる無線基地局として管理する。
【０００５】
無線基地局は、設置前と設置後の設置位置が同一である場合、設置前と設置後の機器が異なっていても、同一のＩＰアドレスの無線基地局として管理されることが望ましい。しかしながら、上述したように、ＩＰアドレスが変更されてしまうため、ＥＭＳサーバは、同一の無線基地局として管理できない。
【０００６】
上記問題点に鑑み、本発明は、設置位置に基づく通信装置の管理を適切に行うサーバ、及び、サーバにおけるＩＰアドレス割り当て方法を提供することを目的とする。
【課題を解決するための手段】
【０００７】
上述した課題を解決するために、本発明は以下のような特徴を有している。
【０００８】
本発明の特徴は、通信装置（ＬＴＥ基地局２０−１、ＬＴＥ基地局２０−２、Ｗ−ＣＤＭＡ基地局２０−３）に対してＩＰアドレスを割り当てるサーバ（ＥＭＳサーバ１０）であって、前記通信装置に割り当てられたＩＰアドレスと、前記通信装置の設置位置に関する位置情報とを対応付けて記憶する記憶部（記憶部１０２）と、前記通信装置からのＩＰアドレスの割り当て要求を受信した場合に、前記通信装置の位置情報と、前記記憶部に記憶された位置情報とに基づいて、前記通信装置にＩＰアドレスを割り当てる制御部（制御部１０１）とを備えることを要旨とする。
【０００９】
このようなサーバは、通信装置に割り当てられたＩＰアドレスと、通信装置の設置位置に関する位置情報とを対応付けて記憶し、通信装置からのＩＰアドレスの割り当て要求を受信した場合に、当該通信装置に対して、位置情報の要求を送信し、更に、通信装置からの位置情報を受信した場合に、当該通信装置からの位置情報と、記憶部に記憶された位置情報とに基づいて、通信装置にＩＰアドレスを割り当てる。従って、サーバは、通信装置の設置位置を考慮して、当該通信装置にＩＰアドレスを割り当てることができ、設置位置に基づく通信装置の管理を適切に行うことが可能となる。
【００１０】
本発明の特徴は、前記制御部は、前記通信装置からの位置情報と、前記記憶部に記憶された位置情報とが同一又は近似する場合に、前記記憶部に記憶された位置情報に対応付けられた前記ＩＰアドレスを前記通信装置に割り当てることを要旨とする。
【００１１】
本発明の特徴は、前記通信装置に対して、前記位置情報の要求を送信する送信部（Ｉ／Ｆ部１０３）と、前記通信装置からの前記位置情報を受信する受信部（Ｉ／Ｆ部１０３）とを備え、前記記憶部は、前記通信装置が他の通信装置との無線通信において使用可能な周波数帯域の情報を前記位置情報と前記ＩＰアドレスとに更に対応付けて記憶し、前記送信部は、前記通信装置が他の通信装置との無線通信において使用可能な周波数帯域の情報の要求を送信し、前記受信部は、前記通信装置からの前記周波数帯域の情報を受信し、前記制御部は、前記通信装置からの位置情報及び周波数帯域の情報と、前記記憶部に記憶された位置情報及び周波数帯域の情報とに基づいて、前記通信装置にＩＰアドレスを割り当てることを要旨とする。
【００１２】
本発明の特徴は、前記制御部は、前記通信装置からの位置情報と、前記記憶部に記憶された位置情報とが近似し、且つ、前記通信装置からの周波数帯域の情報と、前記記憶部に記憶された周波数帯域の情報であって、前記通信装置からの位置情報と同一又は近似する位置情報に対応付けられた周波数帯域の情報とが一致する場合に、前記記憶部に記憶された位置情報及び周波数帯域の情報に対応付けられた前記ＩＰアドレスを前記通信装置に割り当てることを要旨とする。
【００１３】
本発明の特徴は、前記記憶部は、前記通信装置のＭＡＣアドレスを前記位置情報と前記ＩＰアドレスとに更に対応付けて記憶し、前記送信部は、前記通信装置から受信したＩＰアドレスの割り当て要求に、前記記憶部に記憶されていないＭＡＣアドレスが含まれる場合に、前記通信装置に対して、前記位置情報の要求を送信することを要旨とする。
【００１４】
本発明の特徴は、通信装置に対してＩＰアドレスを割り当てるサーバにおけるＩＰアドレスの割り当て方法であって、前記サーバが、前記通信装置に割り当てられたＩＰアドレスと、前記通信装置の設置位置に関する位置情報とを対応付けて記憶するステップと、前記サーバが、前記通信装置からのＩＰアドレスの割り当て要求を受信した場合に、前記通信装置に対して、前記位置情報の要求を送信するステップと、前記サーバが、前記通信装置からの前記位置情報を受信するステップと、前記サーバが、前記通信装置からの位置情報と、前記記憶部に記憶された位置情報とに基づいて、前記通信装置にＩＰアドレスを割り当てるステップとを含むことを要旨とする。
【発明の効果】
【００１５】
本発明によれば、設置位置に基づく通信装置の管理を適切に行うことが可能となる。
【図面の簡単な説明】
【００１６】
【図１】本発明の実施形態に係る無線通信システムの全体概略構成図である。
【図２】本発明の実施形態に係るサーバの構成図である。
【図３】本発明の実施形態に係るエントリ情報の構成を示す図である。
【図４】本発明の実施形態に係るＥＭＳサーバの動作を示す第１のフローチャートである。
【図５】本発明の実施形態に係るＥＭＳサーバの動作を示す第２のフローチャートである。
【発明を実施するための形態】
【００１７】
次に、図面を参照して、本発明の実施形態を説明する。具体的には、通信システムの構成、ＥＭＳ（Element Management System）サーバの動作、作用・効果、その他の実施形態について説明する。以下の実施形態における図面の記載において、同一又は類似の部分には同一又は類似の符号を付している。
【００１８】
（１）無線通信システムの構成
図１は、本実施形態に係る通信システムの概略構成図である。本実施形態では、通信システム１は、無線通信区間にＬＴＥ（Long Term Evolution）の通信方式及びＷ−ＣＤＭＡ（Wideband Code Division Multiple Access）の通信方式を用いている。図１に示す無線通信システム１は、ＥＭＳサーバ１０、ＬＴＥ基地局２０−１、ＬＴＥ基地局２０−２、Ｗ−ＣＤＭＡ基地局２０−３、無線端末（ＵＥ）３０、バックホール４０、インターネット６０とを含む。
【００１９】
ＥＭＳサーバ１０と、ＬＴＥ基地局２０−１、ＬＴＥ基地局２０−２及びＷ−ＣＤＭＡ基地局２０−３とは、バックホール４０を介して、接続する。
【００２０】
ＥＭＳサーバ１０は、ＬＴＥ基地局２０−１、ＬＴＥ基地局２０−２及びＷ−ＣＤＭＡ基地局２０−３を管理する。ＬＴＥ基地局２０−１、ＬＴＥ基地局２０−２及びＷ−ＣＤＭＡ基地局２０−３は、ＩＰ通信機能を有する。
【００２１】
ＬＴＥ基地局２０−２とＷ−ＣＤＭＡ基地局２０−３とは、同一位置に設置されている。ＵＥ３０は、ＬＴＥ基地局２０−１によって構成される通信エリアであるセル２１内に存在する場合には、当該ＬＴＥ基地局２０−１と無線通信が可能である。ＵＥ３０は、ＬＴＥ基地局２０−２によって構成される通信エリアであるセル２２内に存在する場合には、当該ＬＴＥ基地局２０−２と無線通信が可能である。ＵＥ３０は、Ｗ−ＣＤＭＡ基地局２０−３によって構成される通信エリアであるセル２３内に存在する場合には、当該Ｗ−ＣＤＭＡ基地局２０−３と無線通信が可能である。
【００２２】
（１．１）ＥＭＳサーバの構成
図２は、ＥＭＳサーバ１０の構成を示す図である。図２に示すＥＭＳサーバ１０は、制御部１０１、記憶部１０２、インタフェース（Ｉ／Ｆ）部１０３を含む。
【００２３】
制御部１０１は、例えばＣＰＵ（Central Processing Unit）やＤＳＰ（Digital Signal Processor）を用いて構成され、ＥＭＳサーバ１０が具備する各種機能を制御する。記憶部１０２は、例えばメモリによって構成され、ＥＭＳサーバ１０における制御などに用いられる各種情報を記憶する。Ｉ／Ｆ部１０３は、ＬＴＥ基地局２０−１、ＬＴＥ基地局２０−２及びＷ−ＣＤＭＡ基地局２０−３との間で通信を行う。
【００２４】
制御部１０１は、ＤＨＣＰ（Dynamic Host Configuration Protocol）サーバ機能を有し、ＩＰ（Internet Protocol）機能を有するＬＴＥ基地局２０−１、ＬＴＥ基地局２０−２及びＷ−ＣＤＭＡ基地局２０−３に対して、ＩＰアドレスを割り当てる。
【００２５】
具体的には、制御部１０１は、以下のようにして、ＬＴＥ基地局２０−１、ＬＴＥ基地局２０−２及びＷ−ＣＤＭＡ基地局２０−３（以下、ＬＴＥ基地局２０−１、ＬＴＥ基地局２０−２及びＷ−ＣＤＭＡ基地局２０−３をまとめて、適宜「基地局２０」と称する））に対して、ＩＰアドレスを割り当てる。
【００２６】
記憶部１０２には、データベースが構成されている。データベースには、基地局２０毎に、エントリ情報が登録されている。
【００２７】
図３は、エントリ情報の一例を示す図である。図３に示すエントリ情報は、対応する基地局２０のインタフェース（Ｉ／Ｆ）部（図示せず）のＭＡＣ（Media Access Control）アドレスと、対応する基地局２０のＩＰアドレスと、対応する基地局２０がＵＥ３０との無線通信において使用可能な周波数帯域の情報と、対応する基地局２０の設置位置（経度、緯度）を示す位置情報とを含む。
【００２８】
ＬＴＥ基地局２０−１及びＬＴＥ基地局２０−２は、ＵＥ３０との無線通信に同一の周波数帯域を使用可能である。従って、ＬＴＥ基地局２０−１に対応するエントリ情報内の周波数帯域情報と、ＬＴＥ基地局２０−２に対応するエントリ情報内の周波数帯域情報とは、同一となる。ＬＴＥの通信方式とＷ−ＣＤＭＡの通信方式とでは、基地局２０がＵＥ３０との無線通信において使用可能な周波数帯域は異なる。従って、ＬＴＥ基地局２０−１及びＬＴＥ基地局２０−２に対応するエントリ情報内の周波数帯域情報と、Ｗ−ＣＤＭＡ基地局２０−３に対応するエントリ情報内の周波数帯域情報とは、異なる。
【００２９】
ＬＴＥ基地局２０−２とＷ−ＣＤＭＡ基地局２０−３とは、同一位置に設置されている。従って、ＬＴＥ基地局２０−１に対応するエントリ情報内の位置情報と、Ｗ−ＣＤＭＡ基地局２０−３に対応するエントリ情報内の位置情報とは、同一又は近似した値となる。
【００３０】
基地局２０は、ＥＭＳサーバ１０に対して、ＩＰアドレス割り当て要求を送信する。ＩＰアドレス割り当て要求は、基地局２０がＥＭＳサーバ１０に対して、ＩＰアドレスの割り当てを要求するためのメッセージである。ＩＰアドレス割り当て要求は、基地局２０内のＩ／Ｆ部のＭＡＣアドレスを含む。
【００３１】
ＥＭＳサーバ１０内の制御部１０１は、ＩＰアドレス割り当て要求を、バックホール４０及びＩ／Ｆ部１０３を介して受信する。
【００３２】
制御部１０１は、ＩＰアドレス割り当て要求に含まれるＭＡＣアドレスを抽出する。制御部１０１は、記憶部１０２のデータベースに登録されたエントリ情報のうち、抽出したＭＡＣアドレスを含むエントリ情報（第１エントリ情報）を検索する。
【００３３】
第１エントリ情報が存在することは、ＩＰアドレス割り当て要求の送信元の基地局２０において、ＭＡＣアドレスは変更されておらず、且つ、制御部１０１が、ＩＰアドレス割り当て要求の送信元の基地局２０に対して、既にＩＰアドレスを割り当て済みであることを意味する。
【００３４】
第１エントリ情報が存在する場合には、制御部１０１は、当該第１エントリ情報内のＩＰアドレスを、ＩＰアドレス割り当て要求の送信元の基地局２０に対して割り当てる。具体的には、制御部１０１は、第１エントリ情報内のＩＰアドレスを、Ｉ／Ｆ部１０３及びバックホール４０を介して、ＩＰアドレス割り当て要求の送信元の基地局２０へ送信する。
【００３５】
一方、第１エントリ情報が存在しない場合には、制御部１０１は、位置情報要求を、Ｉ／Ｆ部１０３及びバックホール４０を介して、ＩＰアドレス割り当て要求の送信元の基地局２０へ送信する。位置情報要求は、ＥＭＳサーバ１０が基地局２０に対して、当該基地局２０の設置位置を示す位置情報を要求するためのメッセージである。
【００３６】
基地局２０は、位置情報要求を受信する。基地局２０は、位置情報要求に応じて、当該基地局２０の設置位置を測定する。例えば、基地局２０は、ＧＰＳ（Global Positioning System）機能を有している。基地局２０は、当該基地局２０の設置位置を示す位置情報を送信する。
【００３７】
ＥＭＳサーバ１０の制御部１０１は、バックホール４０及びＩ／Ｆ部１０３を介して、位置情報を受信する。制御部１０１は、記憶部１０２のデータベースに登録されたエントリ情報のうち、受信した位置情報と同一又は近似する位置情報を含んだエントリ情報（第２エントリ情報）を検索する。受信した位置情報と同一又は近似する位置情報とは、受信した位置情報との誤差が所定距離以内である位置情報を示す。
【００３８】
第２エントリ情報が存在しないことは、位置情報の送信元の基地局２０が、新たな位置に設置された基地局であることを意味する。
【００３９】
第２エントリ情報が存在しない場合には、制御部１０１は、位置情報の送信元の基地局２０を新規の基地局として認識する。制御部１０１は、周波数帯域情報要求を、Ｉ／Ｆ部１０３及びバックホール４０を介して、位置情報の送信元の基地局２０へ送信する。周波数帯域情報要求は、ＥＭＳサーバ１０が基地局２０に対して、当該基地局２０がＵＥ３０との無線通信において使用可能な周波数帯域の情報を要求するためのメッセージである。
【００４０】
基地局２０は、周波数帯域情報要求を受信する。基地局２０は、周波数帯域情報要求に応じて、当該基地局２０がＵＥ３０との無線通信において使用可能な周波数帯域の情報を送信する。
【００４１】
ＥＭＳサーバ１０の制御部１０１は、バックホール４０及びＩ／Ｆ部１０３を介して、周波数帯域情報を受信する。制御部１０１は、周波数帯域情報の送信元の基地局２０に対して、新規のＩＰアドレスを割り当てる。制御部１０１は、ＩＰアドレス割り当て要求内のＭＡＣアドレス、受信した位置情報、割り当てた新規のＩＰアドレス、受信した周波数帯域情報を含んだ新規のエントリ情報を作成し、記憶部１０２内のデータベースに登録する。
【００４２】
一方、第２エントリ情報が存在する場合には、制御部１０１は、周波数帯域情報要求を、Ｉ／Ｆ部１０３及びバックホール４０を介して、位置情報の送信元の基地局２０へ送信する。
【００４３】
基地局２０は、周波数帯域情報要求を受信する。基地局２０は、周波数帯域情報要求に応じて、当該基地局２０がＵＥ３０との無線通信において使用可能な周波数帯域の情報を送信する。
【００４４】
ＥＭＳサーバ１０の制御部１０１は、バックホール４０及びＩ／Ｆ部１０３を介して、周波数帯域情報を受信する。制御部１０１は、受信した周波数帯域情報が、第２エントリ情報内の周波数帯域情報と一致するか否かを判定する。
【００４５】
受信した周波数帯域情報が、第２エントリ情報内の周波数帯域情報と一致しない場合、制御部１０１は、第２エントリ情報内の周波数帯域情報と一致しない周波数帯域情報の送信元の基地局２０を新規の基地局として認識する。制御部１０１は、周波数帯域情報の送信元の基地局２０に対して、新規のＩＰアドレスを割り当てる。制御部１０１は、ＩＰアドレス割り当て要求内のＭＡＣアドレス、受信した位置情報、割り当てた新規のＩＰアドレス、受信した周波数帯域情報を含んだ新規のエントリ情報を作成し、記憶部１０２内のデータベースに登録する。
【００４６】
一方、受信した周波数帯域情報が、第２エントリ情報内の周波数帯域情報と一致することは、当該周波数帯域情報の送信元の基地局２０は、設置位置が変わらず、Ｉ／Ｆ部を含む機器の交換が行われたことを意味する。受信した周波数帯域情報が、第２エントリ情報内の周波数帯域情報と一致する場合、制御部１０１は、受信した周波数帯域情報を含む第２エントリ情報内のＭＡＣアドレスを、ＩＰアドレス割り当て要求内のＭＡＣアドレスに更新する。
【００４７】
制御部１０１は、バックホール４０及びＩ／Ｆ部１０３を介して、第２エントリ情報内の周波数帯域情報と一致する周波数帯域情報の送信元の基地局２０へ基地局リセット要求を送信する。基地局リセット要求を受信した基地局２０は、自基地局の設定等のリセットを行う。
【００４８】
ＥＭＳサーバ１０の制御部１０１は、受信した周波数帯域情報を含む第２エントリ情報内のＩＰアドレスを、基地局２０に対して割り当てる。周波数帯域情報の送信元の基地局２０に割り当てる。
【００４９】
（２）ＥＭＳサーバの動作
図４及び図５は、本発明の実施形態に係るＥＭＳサーバ１０の動作を示すシーケンス図である。
【００５０】
ステップＳ１０１において、ＥＭＳサーバ１０は、基地局２０からのＩＰアドレス割り当て要求を受信する。
【００５１】
ステップＳ１０２において、ＥＭＳサーバ１０は、ＩＰアドレス割り当て要求内のＭＡＣアドレスを含んだ第１エントリ情報を検索する。ステップＳ１０３において、ＥＭＳサーバ１０は、第１エントリ情報が存在するか否かを判定する。
【００５２】
第１エントリ情報が存在する場合、ＥＭＳサーバ１０は、第１エントリ情報内のＩＰアドレスを、ＩＰアドレス割り当て要求の送信元の基地局２０に対して割り当てる。
【００５３】
一方、第１エントリ情報が存在しない場合、ステップＳ１０５において、ＥＭＳサーバ１０は、ＩＰアドレス割り当て要求の送信元の基地局２０に対して、位置情報要求を送信する。ステップＳ１０６において、ＥＭＳサーバ１０は、基地局２０からの位置情報を受信する。
【００５４】
ステップＳ１０７において、ＥＭＳサーバ１０は、受信した位置情報と野誤差がＸ［ｍ］以内（例えば１０［ｍ］以内）である位置情報を含んだ第２エントリ情報を検索する。ステップＳ１０８において、ＥＭＳサーバ１０は、第２エントリ情報が存在するか否かを判定する。
【００５５】
第２エントリ情報が存在しない場合、ステップＳ１０９において、ＥＭＳサーバ１０は、位置情報の送信元の基地局２０を新規の基地局として認識する。
【００５６】
ステップＳ１１０において、ＥＭＳサーバ１０は、位置情報の送信元の基地局２０へ周波数帯域情報要求を送信する。ステップＳ１１１において、ＥＭＳサーバ１０は、基地局２０からの周波数帯域情報を受信する。
【００５７】
ステップＳ１１２において、ＥＭＳサーバ１０は、周波数帯域情報の送信元の基地局２０に対して、新規のＩＰアドレスを割り当てる。更に、ＥＭＳサーバ１０は、ＩＰアドレス割り当て要求内のＭＡＣアドレス、受信した位置情報、割り当てた新規のＩＰアドレス、受信した周波数帯域情報を含んだ新規のエントリ情報を作成する。
【００５８】
一方、第２エントリ情報が存在しない場合、ステップＳ１１３において、ＥＭＳサーバ１０は、位置情報の送信元の基地局２０へ周波数帯域情報要求を送信する。ステップＳ１１４において、ＥＭＳサーバ１０は、基地局２０からの周波数帯域情報を受信する。
【００５９】
ステップＳ１２１において、ＥＭＳサーバ１０は、受信した周波数帯域情報が第２エントリ情報内の周波数帯域情報と一致するか否かを判定する。
【００６０】
受信した周波数帯域情報が第２エントリ情報内の周波数帯域情報と一致する場合、ステップＳ１２２において、ＥＭＳサーバ１０は、当該第２エントリ情報内のＭＡＣアドレスを、ＩＰアドレス割り当て要求内のＭＡＣアドレスに更新する。
【００６１】
ステップＳ１２３において、ＥＭＳサーバ１０は、周波数帯域情報の送信元の基地局２０へ基地局リセット要求を送信する。
【００６２】
ステップＳ１２４において、ＥＭＳサーバ１０は、第２エントリ情報内のＩＰアドレスを、周波数帯域情報の送信元の基地局２０に対して割り当てる。
【００６３】
一方、受信した周波数帯域情報が第２エントリ情報内の周波数帯域情報と一致しない場合、ステップＳ１２５において、ＥＭＳサーバ１０は、周波数帯域情報の送信元の基地局２０を新規の基地局として認識する。
【００６４】
ステップＳ１２６において、ＥＭＳサーバ１０は、周波数帯域情報の送信元の基地局２０に対して、新規のＩＰアドレスを割り当てる。更に、ＥＭＳサーバ１０は、ＩＰアドレス割り当て要求内のＭＡＣアドレス、受信した位置情報、割り当てた新規のＩＰアドレス、受信した周波数帯域情報を含んだ新規のエントリ情報を作成する。
【００６５】
（３）作用・効果
本実施形態において、ＥＭＳサーバ１０は、基地局２０毎に、基地局２０のＭＡＣアドレスと、基地局２０に割り当てられたＩＰアドレスと、基地局２０がＵＥ３０との無線通信において使用可能な周波数帯域の情報と、基地局２０の設置位置を示す位置情報とからなるエントリ情報を記憶しておく。ＥＭＳサーバ１０は、ＭＡＣアドレスを含んだＩＰアドレス割り当て要求を基地局２０から受信した場合、当該基地局２０に対して、位置情報の要求と周波数帯域情報の要求とを送信する。ＥＭＳサーバ１０は、基地局２０からの位置情報及び周波数帯域情報を受信した場合に、エントリ情報と、受信したＭＡＣアドレス、位置情報及び周波数帯域情報に基づいて、基地局２０にＩＰアドレスを割り当てる。
【００６６】
具体的には、ＥＭＳサーバ１０は、ＭＡＣアドレスが変化しても、設置位置に変化がない、或いは、変化の小さい基地局２０に対して、同一のＩＰアドレスを割り当てる。従って、ＥＭＳサーバ１０は、設置位置に基づく基地局２０の管理を適切に行うことが可能となる。
【００６７】
また、ＥＭＳサーバ１０は、設置位置が同一又は近接するが、使用可能な周波数帯域の異なる場合には、異なる基地局２０であると見なして、異なるＩＰアドレスを割り当てることができる。従って、ＥＭＳサーバ１０は、同一位置又は近接する位置に使用可能な周波数帯域の異なる複数の基地局２０が設置されている場合においても、各基地局２０を区別し、適切にＩＰアドレスを割り当てることができる。
【００６８】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６９】
上述した実施形態では、通信システム１は、無線通信区間にＬＴＥの通信方式及びＷ−ＣＤＭＡの通信方式を用いていた。しかし、通信システム１が他の通信方式を用いる場合にも、同様に本発明を適用できる。
【００７０】
また、通信システム１が、無線通信区間に単一の通信方式を用いる場合にも、同様に本発明を適用できる。例えば、通信システム１が、ＬＴＥの通信方式のみを用いる場合、各基地局２０がＵＥ３０との間の無線通信において使用可能な周波数帯域は、同一である。この場合、エントリ情報は、基地局２０のＭＡＣアドレスと、基地局２０に割り当てられたＩＰアドレスと、基地局２０の設置位置を示す位置情報とにより構成される。また、ＥＭＳサーバ１０は、基地局２０に対して位置情報のみを要求し、周波数帯域情報を要求しない。
【００７１】
ＥＭＳサーバ１０は、基地局２０からの位置情報を受信した場合に、エントリ情報と、受信したＭＡＣアドレス及び位置情報に基づいて、基地局２０にＩＰアドレスを割り当てる。具体的には、ＥＭＳサーバ１０は、ＭＡＣアドレスが変化しても、設置位置に変化がない、或いは、変化の小さい基地局２０に対して、同一のＩＰアドレスを割り当てる。従って、ＥＭＳサーバ１０は、設置位置に基づく基地局２０の管理を適切に行うことが可能となる。
【００７２】
上述した実施形態では、ＥＭＳサーバ１０は、基地局２０を管理し、当該基地局２０に対してＩＰアドレスを割り当てた。しかし、ＥＭＳサーバ１０以外のサーバが、ＩＰ通信機能を有する通信装置を管理し、当該通信装置に対してＩＰアドレスを割り当てる場合にも、同様に本発明を適用できる。
【００７３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７４】
１…通信システム、１０…ＥＭＳサーバ、２０−１、２０−２…ＬＴＥ基地局、２０−３…Ｗ−ＣＤＭＡ基地局、２１、２２、２３…セル、３０…ＵＥ、４０…バックホール、６０…インターネット、１０１…制御部、１０２…記憶部、１０３…Ｉ／Ｆ部
【図１】
2012191263.tif 000003
【図２】
2012191263.tif 000004
【図３】
2012191263.tif 000005
【図４】
2012191263.tif 000006
【図５】
2012191263.tif 000007